(57)【要約】【課題】小型の機器でも容易に所望の文字を入力することができる携帯端末装置を提供することを目的とする。【解決手段】選択対象文字生成手段1により生成された選択対象文字を表示手段２により表示し、選択位置生成手段４により一つの文字または記号を選択する。また、接触位置検出手段３はペンや人間の指が接触している箇所の位置の情報を検出する。接触位置検出手段３によりキー領域２０に接触していることが検出されれば、キー入力制御手段１８が、キー領域２０に対応した固有の文字または記号の情報を出力する一方で、キー領域２０に接触しながら別の領域に移動したことが検出されれば、選択位置生成手段４が、文字または記号の一つを選択する。【選択図】図５
2014079016.tif 000002
【特許請求の範囲】
【請求項１】
物体の接触した位置を検出する接触位置検出手段と、
前記接触位置検出手段上に設けられ、固有の文字または記号が割り当てられた複数のキー領域と、
前記キー領域に対応した固有の文字または記号の情報を出力するキー入力制御手段と、
文字または記号の選択対象文字を生成する選択対象文字生成手段と、
前記選択対象文字生成手段により生成された選択対象文字を表示する表示手段と、
前記表示手段に表示されている選択対象文字から一つの文字または記号を選択する選択位置生成手段と、
前記選択位置生成手段により選択された一つの文字または記号を確定して、確定された文字または記号の情報を出力する選択文字確定手段と、を具備し、
前記接触位置検出手段の出力に基づいて、前記物体が前記キー領域に接触していることが検出されれば、前記キー入力制御手段が、この前記キー領域に対応した固有の文字または記号の情報を出力する一方で、前記接触位置検出手段の出力に基づいて、前記物体が前記キー領域に接触しながらこの前記キー領域から別の領域に移動したことが検出されれば、前記選択位置生成手段が、文字または記号の一つを選択する携帯端末装置。
【請求項２】
請求項１記載の携帯端末装置であって、前記選択位置生成手段は、ある文字または記号の一つを選択した後に、前記物体が接触状態を保ったまま移動した場合には、その移動の方向に連動して文字または記号の一つを新たに選択する携帯端末装置。
【発明の詳細な説明】
【技術分野】
【０００１】
本発明は接触位置検出手段を用いた文字および記号を入力する携帯端末装置に関するものである。
【背景技術】
【０００２】
従来、片手で操作できる小型な携帯端末装置を実現することができる手段として、特許文献１に記載された発明がある。図１２と図１３を用いて従来の携帯端末装置の構成と動作を説明する。図１２に示すように携帯端末装置本体２７の正面に表示手段２８を設けて、例えば機能の動作を指示するメニューを各領域２９に分けて表示する。一方、図１３に示すように背面には接触位置検出手段であるタッチパッド３０を設け、表示手段２８に表示された各領域２９に対応するようにタッチパッド上を領域３１に分ける。そして、例えば人間の指によって押されたタッチパッド３０上の領域３１に対応する機能を実行する。このような構成にすることによって、片手で操作できる小型な携帯端末装置を実現している。
【先行技術文献】
【特許文献】
【０００３】
【特許文献１】特開平１１−３１７７９９号公報
【発明の概要】
【発明が解決しようとする課題】
【０００４】
しかしながら、上記のような従来の技術においては、表示手段上に例えば日本語のひらがなの５０音表を表示し、その中で所望の文字を選択するという操作を行う場合、小型な携帯端末装置においては、表示手段の表示面積は小さく、また、接触位置検出手段も小さくなるので、５０音表の各一つの文字に対応する接触位置検出手段上に設けられた各一文字分の領域は小さくなり、人間の指では押下操作が困難になるという問題があった。
【０００５】
本発明は、上記従来の問題を解決するもので、例えば日本語のひらがなの５０音表を表示し、その中で所望の文字を選択する操作を行う場合、現在選択されている文字を変更するときには、接触位置検出手段上に接触している指を動かすことによって所望の文字を選択することができる携帯端末装置を提供するものである。
【課題を解決するための手段】
【０００６】
本発明の携帯端末装置は、物体の接触した位置を検出する接触位置検出手段と、前記接触位置検出手段上に設けられ、固有の文字または記号が割り当てられた複数のキー領域と、前記キー領域に対応した固有の文字または記号の情報を出力するキー入力制御手段と、文字または記号の選択対象文字を生成する選択対象文字生成手段と、前記選択対象文字生成手段により生成された選択対象文字を表示する表示手段と、前記表示手段に表示されている選択対象文字から一つの文字または記号を選択する選択位置生成手段と、前記選択位置生成手段により選択された一つの文字または記号を確定して、確定された文字または記号の情報を出力する選択文字確定手段と、を具備し、前記接触位置検出手段の出力に基づいて、前記物体が前記キー領域に接触していることが検出されれば、前記キー入力制御手段が、この前記キー領域に対応した固有の文字または記号の情報を出力する一方で、前記接触位置検出手段の出力に基づいて、前記物体が前記キー領域に接触しながらこの前記キー領域から別の領域に移動したことが検出されれば、前記選択位置生成手段が、文字または記号の一つを選択する構成である。
【０００７】
また、本発明の携帯端末装置は、前記選択位置生成手段は、ある文字または記号の一つを選択した後に、前記物体が接触状態を保ったまま移動した場合には、その移動の方向に連動して文字または記号の一つを新たに選択する構成である。
【発明の効果】
【０００８】
以上のように本発明は、ペンや指をキー領域に接触させることで、キー領域に対応した固有の文字または記号を、また、ペンや指をキー領域に接触させながら別の領域に移動させることで、表示手段に表示されている選択対象文字から一つの文字または記号を、それぞれ選択できる。これにより、携帯端末装置における所望の文字または記号の選択が容易なものとなる。
【図面の簡単な説明】
【０００９】
【図１】本発明の実施の形態１における携帯端末装置のブロック図
【図２】本発明の実施の形態１における接触位置検出手段のブロック図
【図３】本発明の実施の形態１の携帯端末装置の動作説明図
【図４】本発明の実施の形態１の携帯端末装置の２ストローク動作の動作説明図
【図５】本発明の実施の形態２における携帯端末装置のブロック図
【図６】本発明の実施の形態２における携帯端末装置の正面図
【図７】本発明の実施の形態３における携帯端末装置のブロック図
【図８】本発明の実施の形態３における携帯端末装置の正面図
【図９】本発明の実施の形態４における携帯端末装置のブロック図
【図１０】本発明の実施の形態５における携帯端末装置のブロック図
【図１１】本発明の実施の形態５における携帯端末装置の正面図
【図１２】従来の携帯端末装置の正面図
【図１３】従来の携帯端末装置の背面図
【発明を実施するための形態】
【００１０】
以下、本発明の実施の形態について、図面を用いて説明する。
【００１１】
（第１の実施の形態）
図１に示すように、本発明の第１の実施の形態の携帯端末装置は、選択対象文字列の情報を生成する選択対象文字生成手段１が表示手段２に接続され、選択対象文字列を表示する。また、接触位置検出手段３はペンや人間の指が接触している箇所の位置の情報を検出する。そして、この位置情報に基づいて選択位置生成手段４では時々刻々変化する位置情報から接触位置検出手段３に接触している物体の移動距離と移動方向を算出して、さらに選択対象文字の変更処理を行う。変更された選択対象文字の確定をする選択文字確定手段５では、例えばボタンの押下により現在選択されている文字を確定して、確定された文字の情報を出力する。
【００１２】
図２は本発明の第１の実施の形態の接触位置検出手段３のブロック図を示している。酸化抵抗薄膜６にはｘ方向電極７ａ、７ｂと、ｙ方向電極８ａ、８ｂが接続されている。そして、ｘ方向Ａ／Ｄコンバータ９とｙ方向Ａ／Ｄコンバータ１０と直流電源１１が切り換えスイッチ１２によって、ｘ方向電極７ａ、７ｂに直流電源１１からの電圧が供給される場合にはｙ方向電極８ａ、８ｂにｙ方向Ａ／Ｄコンバータ１０が接続され、逆にｙ方向電極８ａ、８ｂに直流電源１１からの電流が供給される場合にはｘ方向電極７ａ、７ｂにｘ方向Ａ／Ｄコンバータ９が接続されるようにする。図２に示す例は前者の状態となっている。次に酸化抵抗薄膜６に接触している物体の位置座標値を得る動作について説明する。切り換えスイッチ１２をｘ方向電極７ａ、７ｂに直流電源１１からの電圧が供給されｙ方向電極８ａ、８ｂにｙ方向Ａ／Ｄコンバータ１０が接続される状態に切り換えた場合には、ｙ方向Ａ／Ｄコンバータ１０には酸化抵抗薄膜６に接触している物体のｙ軸方向の位置に応じた電圧がかかり、これをＡ／Ｄ変換することにより、接触している物体のｙ軸方向の位置座標値を得ることができる。逆に切り換えスイッチ１２をｙ方向電極８ａ、８ｂに直流電源１１からの電圧が供給されｘ方向電極７ａ、７ｂにｘ方向Ａ／Ｄコンバータ１０が接続される状態に切り換えた場合には、ｘ方向Ａ／Ｄコンバータ１０には酸化抵抗薄膜６に接触している物体のｘ軸方向の位置に応じた電圧がかかり、これをＡ／Ｄ変換することにより、接触している物体のｘ軸方向の位置座標値を得ることができる。そして、短時間に上記の２つの状態を切り換えることによって、時々刻々の酸化抵抗薄膜６に接触している物体の位置座標値を得ることができる。
【００１３】
図３は本発明の第１の実施の形態の選択対象文字から所望の文字を選択するための動作説明図を示している。携帯端末装置本体１３には表示手段２と接触位置検出手段３が設けられている。図１に示す選択対象文字生成手段１から生成された選択対象文字１４が表示手段２に表示されている。この例では日本語のひらがなの５０音表が表示されているが、この他の文字や他の言語の文字、記号やアイコンを表示することも可能である。次に接触位置検出手段３上に接触している物体１５が左方向に接触状態を保ったまま移動した場合、選択位置生成手段４が物体１５の移動方向と移動距離に応じて、選択文字１６を変更する。この例の場合は、選択文字１６が「ふ」であったものが「ゆ」に変更されている。接触位置検出手段３上に接触している物体１５の移動距離と選択文字１６の移動量の関係は、例えば物体１５が接触位置検出手段３の一辺の長さの３０％移動したときは、選択文字１６は隣接する文字へ移動し、５０％移動したときは２つ離れた文字へ移動する。さらに８０％移動したときは３つ離れた文字へ移動する構成とすることができる。図３に示す例は５０％移動したときの場合である。なお、この物体１５の移動距離と選択文字１６の移動量の関係は任意に設定可能である。また、物体１５の移動方向と選択文字１６の移動方向の関係は、物体１５の移動方向の角度０〜３６０度を均等に８分割し、それぞれの方向と同様の方向に選択文字１６を移動する。図３に示す例では、物体１５が水平に左方向に移動して、選択文字１６が左方向の文字へと変更される動作を示している。
【００１４】
以上のように、本発明の第１の実施の形態の携帯端末装置は、選択対象文字列の情報を生成する選択対象文字生成手段１が表示手段２に接続され、選択対象文字列を表示する。また、接触位置検出手段３はペンや人間の指が接触している箇所の位置の情報を検出し、この位置情報に基づいて選択位置生成手段４では時々刻々変化する位置情報から接触位置検出手段３に接触している物体の移動距離と移動方向を算出して、さらに選択対象文字の変更処理を行うので、選択対象文字生成手段１で生成された文字や記号の表の中で所望の文字または記号を選択する操作を行う場合、現在選択されている文字または記号を変更するときには、接触位置検出手段３上に接触している指などの移動距離と方向に応じて選択される文字あるいは記号を変更し、所望の文字あるいは記号を選択することができる。
【００１５】
なお、図４に示すように、接触位置検出手段３に接触している物体１５が接触状態を保ったまま移動方向を変更した場合は、それに連動して選択文字１６も変更される構成とすることも可能である。図４の例では、最初は物体１５が左水平方向に移動し、さらに接触状態を保ったまま、右上方向に移動した場合に、選択文字が最初は「ふ」であったものが、「ゆ」へ変更され、さらに物体１５の移動方向に連動して「み」へと変更される動作を示している。この構成によれば、選択文字１６が所望のものからずれた場合に、容易に選択文字１６を変更／修正することができるという効果も得られる。
【００１６】
また、選択位置生成手段４が物体１５の移動速度と移動距離に応じて、選択文字１６を変更する構成も可能である。例えば、物体１５が１ｃｍ／秒の速さで移動したときは、選択文字１６は１文字分だけ隣接した文字へ変更する。２ｃｍ／秒の速さで移動したときは２文字分移動する。移動方向の検出については前述のものと同様でよい。この構成によれば、文字を選択する接触位置検出手段３上に接触する物体１５を素早く動かすことによって、短時間で選択文字１６を大きく変更することができ、物体１５をゆっくり動かすことで、細かな選択文字１６の変更が行えるという効果も得られる。
【００１７】
（第２の実施の形態）
図５は本発明の第２の実施の形態のブロック図を示し、これは上記実施の形態とはさらに入力選択手段１７とキー入力制御手段１８とを設けた点が相違している。入力選択手段１７は使用者の指示により接触位置検出手段３から得られる接触位置情報を選択位置生成手段４に出力するか、キー入力制御手段１８に出力するかを選択する。選択位置生成手段４に出力された接触位置情報の処理については第１の実施の形態と同様なので説明は省略する。キー入力制御手段１８の動作については図６を参照しながら説明する。図６には携帯電話装置本体１９に適用した例を示しており、キー入力制御手段１８では接触位置検出手段３上を任意のキー領域２０に分割し、各領域には固有の文字や記号、あるいは機能を割り当て、キー領域２０において物体の接触を検出すると、この割り当てられた文字や記号の入力、あるいは機能を実行する。この例の場合、例えば「５」の領域に指で接触すると数字の「５」の情報がキー入力制御手段１８から出力される。なお、切換検出領域２１を押下すると、入力選択手段１７では接触位置検出手段３から得られる接触位置情報をキー入力制御手段１８に出力していた状態から、選択位置生成手段４に出力する状態に切り換える。逆に、接触位置検出手段３から得られる接触位置情報を選択位置生成手段４に出力する状態において、切換メニュー２２を選択すると、接触位置検出手段３から得られる接触位置情報を選択位置生成手段４に出力する状態からキー入力制御手段１８に出力する状態へと切り換える。
【００１８】
以上のように、本発明の第２の実施の形態の携帯端末装置は、入力選択手段１７とキー入力制御手段１８とを設けたので、接触位置検出手段３上の特定の文字あるいは記号を割り当てた領域において物体の接触を検出すると割り当てられた文字あるいは記号を入力できる入力形態と、表示手段２に表示した選択対象文字１４の表の中から任意の位置の文字あるいは記号を選択して入力する形態とを切り換えて利用できる。
【００１９】
なお、キー入力制御手段１８において、隣接する複数のキー領域２０を物体が接触しながら移動したことを検出すると、入力選択手段１７で自動的に接触位置検出手段３から得られる接触位置情報を選択位置生成手段４に出力する状態に切り換える構成も可能であり、切り換え指示を行わなくとも入力選択手段１７に切り換え動作をさせることが可能となる効果も得られる。
【００２０】
（第３の実施の形態）
図７は本発明の第３の実施の形態のブロック図を示し、これは上記実施の形態とは入力選択手段１７の代わりに入力振分け手段２３を設けた点が相違している。入力振分け手段２３は接触位置検出手段３上に接触している物体が、キー領域２０にあるか、文字選択領域２４にあるかを識別し、前者の場合は接触位置検出手段３から得られる接触位置情報をキー入力制御手段１８に出力し、後者の場合は接触位置情報を選択位置生成手段４に出力する。図８には接触位置検出手段３上に設けたキー領域２０と文字選択領域２４の例を示している。キー領域２０には「０」〜「９」までの数字を割り当て、接触位置検出手段３
の残りの領域を文字選択領域２４に割り当てている。キー領域２０において、指などでキー領域２０を押下すると、キー入力制御手段１８からキー領域２０に割り当てられた、文字、記号の情報、あるいは機能の実行がなされる。文字選択領域２４に指などで接触すると第１の実施の形態で説明した文字入力の動作が実行される。
【００２１】
以上のように、本発明の第３の実施の形態の携帯端末装置は、入力選択手段１７の代わりに入力振分け手段２３を設けたので、接触位置検出手段上の特定の文字あるいは記号を割り当てた領域において物体の接触を検出すると割り当てられた文字あるいは記号を入力できる入力形態と、表示手段に表示した選択対象文字の表の中から任意の位置の文字あるいは記号を選択して入力する形態とを一つの接触位置検出手段で併用できる。
【００２２】
（第４の実施の形態）
図９は本発明の第４の実施の形態のブロック図を示し、これは第２の実施の形態とはさらに文字認識手段２５を設けた点が相違している。入力選択手段１７は使用者の指示により接触位置検出手段３から得られる接触位置情報を選択位置生成手段４に出力するか、キー入力制御手段１８に出力するか、文字認識手段２５に出力するかを選択する。選択位置生成手段４に出力された接触位置情報の処理については第１の実施の形態と同様なので説明は省略する。また、キー入力制御手段１８に出力された接触位置情報の処理については第２の実施の形態と同様なので説明は省略する。使用者の指示により入力選択手段１７において文字認識による文字入力が選択された場合、文字認識手段２５は接触位置検出手段３から得られる接触位置情報を時々刻々取り込み、予め設けられた文字や記号の情報と文字の筆跡データとの対応を記憶した文字認識辞書を用いて、接触位置検出手段３上に書かれた文字や記号を検出する。
【００２３】
以上のように、本発明の第４の実施の形態の携帯端末装置は、第２の実施の形態とはさらに文字認識手段２５を設けたので、表示手段に表示した選択対象文字の表の中から任意の位置の文字あるいは記号を選択して入力する形態と、接触位置検出手段から出力される接触位置情報を筆跡として取り込み文字認識処理を行って入力する形態とを切り換えて利
用できる。
【００２４】
（第５の実施の形態）
図１０は本発明の第５の実施の形態のブロック図を示し、これは第３の実施の形態とはさらに文字認識手段２５を設けた点が相違している。入力振分け手段２３は接触位置検出手段３上に接触している物体が、キー領域２０にあるか、文字選択領域２４にあるか、文字認識領域２６にあるかを識別し、キー領域２０にある場合は接触位置検出手段３から得られる接触位置情報をキー入力制御手段１８に出力し、文字選択領域２４にある場合は接触位置情報を選択位置生成手段４に出力し、文字認識領域２６にある場合は文字認識手段２５に出力する。図１１には接触位置検出手段３上に設けたキー領域２０と文字選択領域２４と文字認識領域２６の例を示している。キー領域２０には「０」〜「９」までの数字を割り当て、接触位置検出手段３の残りの領域を文字選択領域２４と文字認識領域２６とに割り当てている。各部の動作は第１、第３、第４の実施の形態で説明したものと同様なのでその説明は省略する。
【００２５】
以上のように、本発明の第５の実施の形態の携帯端末装置は、第３の実施の形態とはさらに文字認識手段２５を設けたので、表示手段に表示した選択対象文字の表の中から任意の位置の文字あるいは記号を選択して入力する形態と、接触位置検出手段上の特定の文字あるいは記号を割り当てた領域において物体の接触を検出すると割り当てられた文字あるいは記号を入力できる入力形態と、接触位置検出手段から出力される接触位置情報を筆跡として取り込み文字認識処理を行って入力する形態とを一つの接触位置検出手段で併用できる。
【産業上の利用可能性】
【００２６】
本発明は接触位置検出手段を用いた文字および記号を入力する携帯端末装置に好適に利用される。
【符号の説明】
【００２７】
１  選択対象文字生成手段
２  表示手段
３  接触位置検出手段
４  選択位置生成手段
１７  入力選択手段
１８  キー入力制御手段
２３  入力振分け手段
２５  文字認識手段
【図１】
2014079016.tif 000003
【図２】
2014079016.tif 000004
【図３】
2014079016.tif 000005
【図４】
2014079016.tif 000006
【図５】
2014079016.tif 000007
【図６】
2014079016.tif 000008
【図７】
2014079016.tif 000009
【図８】
2014079016.tif 000010
【図９】
2014079016.tif 000011
【図１０】
2014079016.tif 000012
【図１１】
2014079016.tif 000013
【図１２】
2014079016.tif 000014
【図１３】
2014079016.tif 000015